(57)【要約】【課題】技術的に簡単に製造可能な多色光を放射する画像表示装置を提供する。【解決手段】保持体（２）が設けられ、その保持体（２）の上または中に多数のそれぞれ個々に電子的に駆動可能な半導体発光ダイオード（４）または半導体レーザーダイオードが構成され、半導体発光ダイオード（４）または半導体レーザーダイオード（３）に相い異なる色の発光物質を有する複数個の光学的に互いに隔てられているルミネセンス変換要素（５、６、７）が対応付けられ、これらのルミネセンス変換要素がそれぞれ半導体発光ダイオード（４）または半導体レーザーダイオードから放射される光（８）の少なくとも一部分を吸収し、他の波長の可視光（９）に変換し、放射し、保持体（２）が大面積にわたって鏡面化されている。【選択図】    図１
2006251814.tif 000002
【特許請求の範囲】
【請求項１】
多色光を放射する画像表示装置において、
保持体（２）が設けられ、その保持体（２）の上または中に多数のそれぞれ個々に電子的に駆動可能な半導体発光ダイオード（４）または半導体レーザーダイオードが構成され、半導体発光ダイオード（４）または半導体レーザーダイオード（３）に相い異なる色の発光物質を有する複数個の光学的に互いに隔てられているルミネセンス変換要素（５、６、７）が対応付けられ、これらのルミネセンス変換要素がそれぞれ半導体発光ダイオード（４）または半導体レーザーダイオードから放射される光（８）の少なくとも一部分を吸収し、他の波長の可視光（９）に変換し、放射し、保持体（２）が大面積にわたって鏡面化されていることを特徴とする画像表示装置。
【請求項２】
多色光を放射する画像表示装置において、
保持体（２）が設けられ、その保持体（２）の上または中に多数のそれぞれ個々に電子的に駆動可能な半導体発光ダイオード（４）または半導体レーザーダイオードが構成され、半導体発光ダイオード（４）または半導体レーザーダイオード（３）に相い異なる色の発光物質を有する複数個の光学的に互いに隔てられているルミネセンス変換要素（５、６、７）が対応付けられ、これらのルミネセンス変換要素がそれぞれ半導体発光ダイオード（４）または半導体レーザーダイオードから放射される光（８）の少なくとも一部分を吸収し、他の波長の可視的な光（９）に変換し、放射し
保持体（２）が透過性または少なくとも半透明性に構成され、ルミネセンス変換要素（５、６、７）が半導体発光ダイオードまたは半導体レーザーダイオード（４）と反対側の保持体（２）の面の上に取付けられていることを特徴とする画像表示装置。
【請求項３】
半導体発光ダイオード（４）または半導体レーザーダイオードは紫外線または青の波長範囲内で放射することを特徴とする請求項１または２記載の画像表示装置。
【請求項４】
保持体（２）の上またはその中に取付けられているルミネセンス変換要素（５、６、７）が交互に少なくとも２つの基本色の赤、緑または３つの基本色の赤、緑、青の発光物質を配置されていることを特徴とする請求項１ないし３の１つに記載の画像表示装置。
【請求項５】
基本色の赤、緑、青で発光するルミネセンス変換要素（５、６、７）に対する色物質としてＺｎＳ：Ａｇ、ＺｎＳ：Ｃｕ，ＡｌまたはＺｎＣｄＳ：Ａｇが使用されることを特徴とする請求項４記載の画像表示装置。
【請求項６】
保持体の上またはその中にモノリシックに集積されている半導体発光ダイオードまたは半導体レーザーダイオード（４）の基本材料がＧａＮを有することを特徴とする請求項１ないし5の１つに記載の画像表示装置。
【請求項７】
ルミネセンス変換要素（５、６、７）が半導体発光ダイオード（４）または半導体レーザーダイオードと同じ側の保持体（２）の面上に取付けられ、透過性または少なくとも半透明性の、電気的に伝導性の接触層（１５）が個々の電子的に駆動可能な半導体発光ダイオード（４）または半導体レーザーダイオードに対して設けられていることを特徴とする請求項１ないし６の１つに記載の画像表示装置。
【請求項８】
保持体（２）の上に形成されている半導体発光ダイオードまたは半導体レーザーダイオード（４）が行および列ごとに配置され、電気的に駆動可能であることを特徴とする請求項１ないし７の１つに記載の画像表示装置。
【請求項９】
画像表示装置はモノリシックに集積された装置として構成されていることを特徴とする請求項１ないし８の１つに記載の画像表示装。
【請求項１０】
画像表示装置は保持体の上だけに構成されている半導体発光ダイオード（４）または半導体レーザーダイオードを含むことを特徴とする請求項１ないし９の１つに記載の画像表示装置。
【請求項１１】
画像表示装置内にラインドライバ回路または電子的駆動回路が集積され、ラインドライバ回路または電子的駆動回路がＧａＮを有することを特徴とする請求項6記載の画像表示装置。
【請求項１２】
半導体発光ダイオードまたは半導体レーザーダイオードはそれぞれ１つのｐ伝導性の範囲および１つのｎ伝導性の範囲を有することを特徴とする請求項１ないし１１の１つに記載の画像表示装置。
【請求項１３】
半導体発光ダイオードまたは半導体レーザーダイオードはｎ伝導性の範囲のためのｎ伝導性の材料からなりストリップ状に構造化された列を含むことを特徴とする請求項１２記載の画像表示装置。
【請求項１４】
列は直接的に保持体の一方の面上に配置されていることを特徴とする請求項１３記載の画像表示装置。
【請求項１５】
ｐ伝導性の範囲は行を形成するために列上に構造化されていることを特徴とする請求項１２または１３記載の画像表示装置。
【請求項１６】
１つの列の上に複数のｐ伝導性の範囲が配置されていることを特徴とする請求項１５記載の画像表示装置。
【請求項１７】
接続線が半導体発光ダイオードまたは半導体レーザーダイオードの接続範囲の一部分のみを覆い、透過性または少なくとも半透明性の、電気的に伝導性の接触層が、電流の幅を広げるために設けられていることを特徴とする請求項７記載の画像表示装置。
【請求項１８】
ルミネセンス変換要素は接触層の上に配置されていることを特徴とする請求項７記載の画像表示装置。
【請求項１９】
接続線はｐ伝導性の範囲を電気的に接続するための行線として形成され、行線は行線を介して電気的に接続すべきそれぞれのｐ伝導性の範囲の一部分のみを覆っていることを特徴とする請求項１２または１７記載の画像表示装置。
【請求項２０】
それぞれ１つの接触層が電流を広げるために電気的に接続すべきｐ伝導性の範囲を覆っていることを特徴とする請求項１９記載の画像表示装置。
【請求項２１】
それぞれの接触層の上に１つのルミネセンス変換要素が配置されていることを特徴とする請求項２０記載の画像表示装置。
【請求項２２】
ルミネセンス変換要素の発光物質が直接に接触層の上に取付けられ、透明なカバー層により覆われていることを特徴とする請求項７記載の画像表示装置。
【請求項２３】
ルミネセンス変換要素は合成樹脂、サーモプラスト材料、デュオプラスト材料またはシリコン材料の中に埋め込まれた発光物質を有することを特徴とする請求項１ないし２２の１つに記載の画像表示装置。
【請求項２４】
ルミネセンス変換要素または画像表示装置の他の放射透過性の構成要素に、デュフューザ粒子が付け加えられていることを特徴とする請求項１ないし２３の１つに記載の画像表示装置。
【請求項２５】
半導体発光ダイオードまたは半導体レーザーダイオードの電気的な駆動は金属帯を介して行なわれることを特徴とする請求項８記載の画像表示装置。
【発明の詳細な説明】
【技術分野】
【０００１】
本発明はモノリシックに集積された装置を有する多色光を放射する画像表示装置、特に高分解能の画像表示装置に関する。
【背景技術】
【０００２】
現在使用されている高分解能のカラー画像表示のための陰極線管の代替として半導体技術‐製造工程を用いて製造可能であり、また、寸法が明らかに減ぜられるので、完全に新しい応用範囲、たとえばカラーディスプレイを内蔵した眼鏡など、に供給され得るモノリシックに集積された装置を有する画像表示装置が現在開発されている。相い異なる色で発光する発光ダイオードまたはそれに類似の個別半導体構成要素は既に利用可能になっているけれども、高分解能の多色の画像表示装置の製造の際には、なかんずく赤、緑、青の３つの基本色に対する発光ダイオードが単一のエピタキシー技術では実現可能でないために、かなりの技術上の困難がある。このようなディスプレイの製造のために必要とされる、相い異なる色で発光する基本材料ＧａＡｓＰ：Ｎ、ＩｎＧａＡｌＰ、ＩｎＧａＡｌＮを有する個別半導体構成要素が大きく異なることに基づいて、将来においても技術上の困難の解決は期待できない。保持体の上に種々の仕上がった発光ダイオード‐チップを取付けるために現在行われる取付過程は、非常に高いコストをもたらし、またその他の点ではごく低くしか達成可能でない分解能とも関係付けられている。
【０００３】
多色光を放射するプラズマ画像表示装置であって、ＵＶ光を放射するプラズマ要素が光ルミネセンス‐蛍光体と組み合わされ得る画像表示装置は知られている。さらに、発光ダイオードがマトリックスの形態に配置されているテレビジョン画像表示装置は知られている（例えば、非特許文献１参照）。
【０００４】
気体放電技術の原理によるテレビジョン画像再生装置は知られている。この関連で、さらに、全色の再生のために橙色に発光するネオン‐アルゴン混合物が紫外線放射を発生する気体混合物により置換され、ＵＶが発光物質により基本色ＲＧＢに変換されなければならないことは知られている（例えば、非特許文献２参照）。
【０００５】
紫外光が光ルミネセンスを適当な場所で励起することによりＵＶ光を可視的にすることは知られている（例えば、特許文献１参照）。
【０００６】
アルカリ金属、希土類および燐の酸化物から成るルミネセンス発光する物質と、それらを陰極線管に使用することとＵＶ光を可視光に変換するための装置とは知られている（例えば、特許文献２参照）。
【特許文献１】東独特許第０１５１８２８号明細書
【特許文献２】独国特許第２８２０８８９号明細書
【非特許文献１】米国電気電子学会論文集・コンシューマー‐エレクトロニクス編、第ＣＥ‐２１巻、第３号、１９７５年８月、第２１３〜２１９頁のJohn A.van Raalte著「マトリックスＴＶディスプレイ：システムおよび回路問題」
【非特許文献２】Fernseh-und Kino-Technik（テレビおよび映画技術）、第４７巻、第４号、１９９３年、第２３１〜２４２頁の C.Reuber 著「平面画像スクリーン…Ｎｉｐｋｏｗｓ（ニポウ）ビジョンへの第２の道」
【発明の開示】
【発明が解決しようとする課題】
【０００７】
本発明の課題は、冒頭に記載されている種類の技術的に簡単に製造可能な多色光を放射する画像表示装置を提供することである。
【課題を解決するための手段】
【０００８】
この課題は、本発明によれば、保持体が設けられ、その保持体の上または中に多数のそれぞれ個々に電子的に駆動可能な半導体発光ダイオードまたは半導体レーザーダイオードが構成され、半導体発光ダイオードまたは半導体レーザーダイオードに相い異なる色の発光物質を有する複数個の光学的に互いに隔てられているルミネセンス変換要素が対応付けられ、これらのルミネセンス変換要素がそれぞれ半導体発光ダイオードまたは半導体レーザーダイオードから放射される光の少なくとも一部分を吸収し、他の波長の可視光に変換し、放射し、保持体が大面積にわたって鏡面化されていることにより解決される。この課題は、本発明によれば、保持体が設けられ、その保持体の上または中に多数のそれぞれ個々に電子的に駆動可能な半導体発光ダイオードまたは半導体レーザーダイオードが構成され、半導体発光ダイオードまたは半導体レーザーダイオードに相い異なる色の発光物質を有する複数個の光学的に互いに隔てられているルミネセンス変換要素が対応付けられ、これらのルミネセンス変換要素がそれぞれ半導体発光ダイオードまたは半導体レーザーダイオードから放射される光の少なくとも一部分を吸収し、他の波長の可視的な光に変換し、放射し、保持体が透過性または少なくとも半透明性に構成され、ルミネセンス変換要素が半導体発光ダイオードまたは半導体レーザーダイオードと反対側の保持体の面の上に取付けられていることによっても解決される。
【０００９】
すなわち、本発明によれば、保持体が設けられ、その保持体の上または中に多数のそれぞれ個々に電子的に駆動可能な半導体発光ダイオードまたは半導体レーザーダイオードが形成され、半導体発光ダイオードまたは半導体レーザーダイオードに相い異なる色の発光物質を有する複数個の光学的に互いに隔てられているルミネセンス変換要素が対応付けられ、これらのルミネセンス変換要素がそれぞれ半導体発光ダイオードまたは半導体レーザーダイオードから放射される光の少なくとも一部分を吸収し、他の波長の可視光に変換し、放射する。
【００１０】
本発明の原理に従って、半導体発光ダイオードまたは半導体レーザーダイオードは紫外線または青の波長範囲内で放射する。ＵＶ波長範囲内で放射する半導体発光ダイオードまたは半導体レーザーダイオードの特別な利点は、それが可視的な、従ってまた場合によっては有害な残留放射を送り出さない、または明らかにわずかしか送り出さないことにある。ＵＶ波長範囲内で放射する半導体発光ダイオードまたは半導体レーザーダイオードの代わりに、青い光を放射する半導体発光ダイオードまたは半導体レーザーダイオードも使用され得る。
【００１１】
特に、保持体の上に取付けられているルミネセンス変換要素に交互に基本色の発光物質を配置され、これらの発光物質は、特にＵＶ光による照射の際にすべての可視的なスペクトルをカバーし得るように選ばれている。特にその際に、基本色の赤、緑、青で発光するルミネセンス変換要素に対する色物質としてＺｎＳ：Ａｇ、ＺｎＳ：Ｃｕ，ＡｌまたはＺｎＣｄＳ：Ａｇが使用される。しかし同じく発光物質として、たとえばＹＡＧ：Ｃｅおよび他の希土類元素によりドープされたグラナート、チオガレート、アルミネートまたはオルソシリケートのような蛍光体が使用され得る。
【００１２】
ＵＶ波長範囲内で放射する半導体発光ダイオードまたは半導体レーザーダイオードを使用する場合には、ルミネセンス変換要素は、交互に３つの基本色の赤、緑、青の発光物質を配置されている。青い光を放射する半導体発光ダイオードまたは半導体レーザーダイオードの場合には、そもそも２つの基本色の緑、赤のみがルミネセンス変換要素に対して必要とされる。なぜならば、基本色の青は既に発光ダイオードまたはレーザーダイオードから放射されるからである。
【００１３】
製造が特に簡単な実施例では、ルミネセンス変換要素は半導体発光ダイオードまたは半導体レーザーダイオードとは反対側の保持体の面上に取付けられている。
【００１４】
透過性または少なくとも半透明性の保持体がサファイア基板により形成されていることは有利である。基板材料として有利に使用されるサファイアは、大きい面積においてコスト的に比較的望ましく（典型的に３ツォルおよびそれ以上のウェハ直径が得られる）、またその際立った高い機械的安定性に基づいて、電子的特性の他に同時に必要とされる機械的特性を呈する。
【００１５】
特に厚い保持体の際の個々の色画素の間の一層高い分離鋭敏度は、半導体発光ダイオードまたは半導体レーザーダイオードおよびルミネセンス変換要素が保持体の同一面上に配置されているときに有利に達成される。この場合、保持体は不透過性の材料から成ることができ、かつ／または使用可能でない光パワーの損失分を減じ得る全面の鏡層を設けられ得る。透明な保持体の場合には鏡層は、有利に、保持体の背面の上に、すなわちルミネセンス変換要素とは反対側の保持体の面上に取付けられている。
【００１６】
ルミネセンス変換要素および発光ダイオードが保持体の同一側に構成されている本発明の特に好ましい実施態様では、透過性または少なくとも半透明性の材料から成る接触層が設けられている。通常は不透過性の接続線はこの場合に半導体発光ダイオードまたは半導体レーザーダイオードに対する接続範囲の一部分のみを覆っている。その場合、この透過性または少なくとも半透明性の接触層が、電流の幅を広げる役割、またそれによって電流を最適に入結合させる役割をする。ルミネセンス変換要素の色物質は、有利に、この透過性の接触層の上に直接に、または中間層の上に、または特別なシーリングコンパウンドのなかに埋め込まれて被覆されていてよい。
【００１７】
さらに、モノリシックに集積された半導体発光ダイオードまたは半導体レーザーダイオードの基本材料がガリウム窒化物ＧａＮまたはたとえばＩｎＧａＮまたはＡｌＧａＮのようなその誘導体を有することは有利である。半導体材料ＧａＮはパワーエレクトロニクスの応用にも適しているので、この構成は同時にラインドライバ回路または電子的駆動回路の集積を可能にする。
【００１８】
さらに、保持体の上またはその中に形成されている半導体発光ダイオードまたは半導体レーザーダイオードが、半導体材料から成る層列、特にＧａxＩｎ1-xＮまたはＧａxＩｎ1-xＮから成る能動的な層を有する層列を有し、この層列が４８０ｎｍよりも短いまたはそれに等しい、特に３７０ｎｍよりも短いまたはそれに等しい波長の電磁放射を送り出し、その際にルミネセンス変換要素が、発光ダイオードまたはレーザーダイオードから送り出された、第１の波長範囲から端を発する第１のスペクトル部分範囲の放射を第２の波長範囲の放射に変換することは有利である。すなわち、たとえば、ルミネセンス変換要素は発光ダイオードから送り出された放射をスペクトル的に選択して吸収し、また長波長の範囲で（第２の波長範囲内で）放射する。理想的には発光ダイオードから送り出された放射は、３７０ｎｍよりも短いまたはそれに等しい波長において放射最大を有する。本発明による画像表示装置の特別な利点は、ルミネセンス変換を介して発生される波長スペクトル、従ってまた放射される光の色が、発光ダイオードまたはレーザーダイオードによる動作電流の強さに関係しないことにもある。このことは特に、半導体構成要素の周囲温度が強く変動し、またそれによって周知のように動作電流の強さも強く変動するときに、大きい意義を有する。特にＧａＮのベースの上に半導体ブロックを有する発光ダイオードは、上記の変動に対して敏感である。さらに、本発明による画像表示装置は、単一の駆動電圧のみを必要とし、またそれによって単一の駆動回路装置のみを必要とし、それによって構成部分の費用が非常にわずかに保たれ得る。
【００１９】
本発明による画像表示装置の別の好ましい実施態様では、ルミネセンス変換要素または構成部分ケーシングの他の放射透過性の構成要素に、追加的に光散乱粒子、いわゆるデュフューザが付け加えられている。これにより、有利な仕方で、画像表示装置の色印象および放射特性が最適化され得る。
【００２０】
保持体の上またはその中に形成されている半導体発光ダイオードまたは半導体レーザーダイオードが、３７０ｎｍよりも短いまたはそれと等しい波長を有するＵＶ光を放射することは特に有利である。その際にはルミネセンス変換要素によるＵＶ光の完全な変換は必要でない。なぜならば、紫外線成分は可視的なスペクトルのなかの色変化に通じないからである。その他の点では、ＵＶ不透過性のラッカーにより鏡面化することにより、またはガラス円板の後に画像表示装置を組み立てることにより、送り出されたＵＶ光の場合によっては残留する成分が簡単にフィルタ除去され得る。
【発明を実施するための最良の形態】
【００２１】
本発明の他の特徴および利点は実施例の以下の説明から明らかになる。
図１は多色光を放射する高分解能の画像表示装置、いわゆるＴｒｕｅ  Ｃｏｌｏｒ  Ｄｉｓｐｌａｙの概要図、また
図２は、発光ダイオードおよびルミネセンス変換要素が全面を鏡面化された保持体の同一面上に形成されているＴｒｕｅ  Ｃｏｌｏｒ  Ｄｉｓｐｌａｙの別の実施例の概要図である。
【００２２】
図１および２に示されている画像表示装置は、比較的望ましいコストで典型的に３ツォルまたはそれ以上のウェハ直径で得られる大面積のサファイア基板から成る透過性または少なくとも半透明性の保持体２と、ＧａＮ基本材料から成っており、マトリックス状に保持体２の上に配置されており、電子的に個々に駆動可能であり、ＵＶ波長範囲内で放射し、またそれぞれｎ伝導性の範囲３Ａおよびｐ伝導性の範囲３Ｂを有する多数の半導体発光ダイオードまたは半導体レーザーダイオード４を有する半導体光源と、相い異なる色の色物質を有し、半導体発光ダイオードまたは半導体レーザーダイオード４からＵＶ波長範囲内で放射された光８を受け、可視光９に変換し、また概要を図示されているようにサファイア保持体２の平面に対して横向きの方向に放射する多数のルミネセンス変換要素５、６、７とから成るモノリシックに集積されている装置１、いわゆるアレイを含んでいる。図示されている実施例では、各ルミネセンス変換要素５は基本色の赤の色物質を有し、各ルミネセンス変換要素６は基本色の緑の色物質を有し、また各ルミネセンス変換要素７は基本色の青の色物質を有する。ルミネセンス変換要素５、６、７のそれぞれ１つの三つ組は、こうして画像表示装置の像点または画素を成し、また全色の像の放射を可能にし、その際にそれ自体は公知の仕方で３つの基本色に対する適当な色物質を用いてすべての可視的なスペクトルが表示され得る。３つの有利に使用される基本色赤、緑、青の他に、もちろん他の適当な基本色も、本発明の基本原理から離れることなしに、実現可能である。３つの基本色の赤、緑、青で発光するルミネセンス変換要素５、６、７に対する適当な色物質はたとえばＺｎＳ：Ａｇ、ＺｎＳ：Ｃｕ，ＡｌおよびＺｎＣｄＳ：Ａｇである。
【００２３】
ＵＶ波長範囲内で放射する発光ダイオード４は、それ自体は公知の半導体技術による製造過程を用いて直接的に保持体２の一方の面上にストリップ状に構造化された、ｎドープされたＧａＮ材料から成る列１０を含んでおり、これらの列１０の上にｐｎ接合またはＵＶ光を発生する範囲１１を構成するため、ｐドープされたＧａＮ材料１２が行を構成するために構造化されている。個々の発光ダイオードまたはレーザーダイオード４の電子的な駆動は、金属帯の形態の金属の列線１３と行線１４を介して行われ、これらの線は、それ自体は公知の半導体技術による構造化および製造措置により製造され、個々の像点を駆動するために列および行アドレス信号を（詳細には図示されていない）駆動回路から与えられる。
【００２４】
各ルミネセンス変換要素は、たとえば適当な有機または無機の色物質分子を添加されている透過性のエポキシ樹脂またはシリコン材料、サーモプラスト材料またはデュオプラスト材料から成り得る。有利な仕方で特に無機の発光物質がエポキシ樹脂のなかに簡単な仕方で均一に分配され得る。ルミネセンス変換要素５、６、７は一定の強さで、また等しい基本面積で好ましくはスクリーン印刷または他のコスト的に有利に実行できる方法により、保持体２の上に被覆され得る。
【００２５】
図１による実施例では、半導体発光ダイオード４およびルミネセンス変換要素５、６、７は板状の保持体２の両面上に構成されている。この場合、保持体はたとえばサファイアのような透過性または少なくとも半透明性の材料から成っている。
【００２６】
図２による実施例では、発光ダイオード４およびルミネセンス変換要素５、６７は保持体の同一面上に配置されている。この構成形態はなかんずく、個々の色画素の間の分離鋭敏度がたとえば厚い保持体に基づいて十分でないであろうときに、利点を有する。各発光ダイオード４のｐ伝導性の範囲３Ｂの電気的接続のための行線１４は、この場合に上側のｐ伝導性の範囲３Ｂの一部分のみを覆っている。電流を広げるために、各発光ダイオード４のｐ伝導性の範囲３Ｂを覆う電気的に伝導性の材料から成る透明な接触層１５が設けられている。接触層１５の上にルミネセンス変換要素５が配置されている。図示されている実施例では、色物質１６は直接に接触層１５の上に取付けられ、透明なカバー層１７により覆われている。電気的に伝導性の透明な接触層１５に対する材料は、たとえばインジウム‐亜鉛酸化物を有し得る。代替的に接触層１５は薄い透過性の金層から成っていてもよい。全く同じく目的にかなった仕方で、色物質は接触層１５（および場合によっては行線１４のわずかな部分）を覆う合成樹脂または類似の適当な材料のなかに埋め込まれ得る。
【００２７】
下方に放射された光をも利用するため、保持体２の背面は大面積にわたって鏡層１８を設けられ得る。
【図面の簡単な説明】
【００２８】
【図１】多色光を放射する高分解能の画像表示装置、いわゆるＴｒｕｅ  Ｃｏｌｏｒ  Ｄｉｓｐｌａｙの概要図
【図２】発光ダイオードおよびルミネセンス変換要素が全面を鏡面化された保持体の同一面上に形成されているＴｒｕｅ  Ｃｏｌｏｒ  Ｄｉｓｐｌａｙの別の実施例の概要図
【符号の説明】
【００２９】
１  モノリシックに集積された装置
２  保持体
３Ａ  ｎ伝導性の範囲
３Ｂ  ｐ伝導性の範囲
４  半導体発光ダイオードまたは半導体レーザーダイオード
５、６、７  ルミネセンス変換要素
８  放射された光
９  可視光
１０  列
１１  ｐｎ接合
１２  ＧａＮ材料
１３  列線
１４  行線
１５  接触層
１６  色物質
１７  カバー層
１８  鏡層
【図１】
2006251814.tif 000003
【図２】
2006251814.tif 000004
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
多色光を放射する画像表示装置において、
保持体（２）が設けられ、その保持体（２）の上または中に多数のそれぞれ個々に電子的に駆動可能な半導体発光ダイオード（４）または半導体レーザーダイオードが構成され、半導体発光ダイオード（４）または半導体レーザーダイオード（３）に相い異なる色の発光物質を有する複数個の光学的に互いに隔てられているルミネセンス変換要素（５、６、７）が対応付けられ、これらのルミネセンス変換要素がそれぞれ半導体発光ダイオード（４）または半導体レーザーダイオードから放射される光（８）の少なくとも一部分を吸収し、他の波長の可視光（９）に変換し、放射し、半導体発光ダイオードまたは半導体レーザーダイオードはそれぞれ１つのｐ伝導性の範囲および１つのｎ伝導性の範囲を有し、半導体発光ダイオードまたは半導体レーザーダイオードはｎ伝導性の範囲のためのｎ伝導性の材料からなりストリップ状に構造化された列を含むことを特徴とする画像表示装置。
【請求項２】
多色光を放射する画像表示装置において、
保持体（２）が設けられ、その保持体（２）の上または中に多数のそれぞれ個々に電子的に駆動可能な半導体発光ダイオード（４）または半導体レーザーダイオードが構成され、半導体発光ダイオード（４）または半導体レーザーダイオード（３）に相い異なる色の発光物質を有する複数個の光学的に互いに隔てられているルミネセンス変換要素（５、６、７）が対応付けられ、これらのルミネセンス変換要素がそれぞれ半導体発光ダイオード（４）または半導体レーザーダイオードから放射される光（８）の少なくとも一部分を吸収し、他の波長の可視的な光（９）に変換し、放射し  保持体（２）が透過性または少なくとも半透明性に構成され、ルミネセンス変換要素（５、６、７）が半導体発光ダイオードまたは半導体レーザーダイオード（４）と反対側の保持体（２）の面の上に取付けられていることを特徴とする画像表示装置。
【請求項３】
半導体発光ダイオード（４）または半導体レーザーダイオードは紫外線または青の波長範囲内で放射することを特徴とする請求項１または２記載の画像表示装置。
【請求項４】
保持体（２）の上またはその中に取付けられているルミネセンス変換要素（５、６、７）が交互に少なくとも２つの基本色の赤、緑または３つの基本色の赤、緑、青の発光物質を配置されていることを特徴とする請求項１ないし３の１つに記載の画像表示装置。
【請求項５】
基本色の赤、緑、青で発光するルミネセンス変換要素（５、６、７）に対する色物質としてＺｎＳ：Ａｇ、ＺｎＳ：Ｃｕ，ＡｌまたはＺｎＣｄＳ：Ａｇが使用されることを特徴とする請求項４記載の画像表示装置。
【請求項６】
保持体の上またはその中にモノリシックに集積されている半導体発光ダイオードまたは半導体レーザーダイオード（４）の基本材料がＧａＮを有することを特徴とする請求項１ないし5の１つに記載の画像表示装置。
【請求項７】
ルミネセンス変換要素（５、６、７）が半導体発光ダイオード（４）または半導体レーザーダイオードと同じ側の保持体（２）の面上に取付けられ、透過性または少なくとも半透明性の、電気的に伝導性の接触層（１５）が個々の電子的に駆動可能な半導体発光ダイオード（４）または半導体レーザーダイオードに対して設けられていることを特徴とする請求項１ないし６の１つに記載の画像表示装置。
【請求項８】
保持体（２）の上に形成されている半導体発光ダイオードまたは半導体レーザーダイオード（４）が行および列ごとに配置され、電気的に駆動可能であることを特徴とする請求項１ないし７の１つに記載の画像表示装置。
【請求項９】
画像表示装置はモノリシックに集積された装置として構成されていることを特徴とする請求項１ないし８の１つに記載の画像表示装。
【請求項１０】
画像表示装置は保持体の上だけに構成されている半導体発光ダイオード（４）または半導体レーザーダイオードを含むことを特徴とする請求項１ないし９の１つに記載の画像表
示装置。
【請求項１１】
画像表示装置内にラインドライバ回路または電子的駆動回路が集積され、ラインドライバ回路または電子的駆動回路がＧａＮを有することを特徴とする請求項6記載の画像表示装置。
【請求項１２】
列は直接的に保持体の一方の面上に配置されていることを特徴とする請求項１記載の画像表示装置。
【請求項１３】
ｐ伝導性の範囲は行を形成するために列上に構造化されていることを特徴とする請求項１記載の画像表示装置。
【請求項１４】
１つの列の上に複数のｐ伝導性の範囲が配置されていることを特徴とする請求項１３記載の画像表示装置。
【請求項１５】
接続線が半導体発光ダイオードまたは半導体レーザーダイオードの接続範囲の一部分のみを覆い、透過性または少なくとも半透明性の、電気的に伝導性の接触層が、電流の幅を広げるために設けられていることを特徴とする請求項７記載の画像表示装置。
【請求項１６】
ルミネセンス変換要素は接触層の上に配置されていることを特徴とする請求項７記載の画像表示装置。
【請求項１７】
接続線はｐ伝導性の範囲を電気的に接続するための行線として形成され、行線は行線を介して電気的に接続すべきそれぞれのｐ伝導性の範囲の一部分のみを覆っていることを特徴とする請求項１または１５記載の画像表示装置。
【請求項１８】
それぞれ１つの接触層が電流を広げるために電気的に接続すべきｐ伝導性の範囲を覆っていることを特徴とする請求項１７記載の画像表示装置。
【請求項１９】
それぞれの接触層の上に１つのルミネセンス変換要素が配置されていることを特徴とする請求項１８記載の画像表示装置。
【請求項２０】
ルミネセンス変換要素の発光物質が直接に接触層の上に取付けられ、透明なカバー層により覆われていることを特徴とする請求項７記載の画像表示装置。
【請求項２１】
ルミネセンス変換要素は合成樹脂、サーモプラスト材料、デュオプラスト材料またはシリコン材料の中に埋め込まれた発光物質を有することを特徴とする請求項１ないし２０の１つに記載の画像表示装置。
【請求項２２】
ルミネセンス変換要素または画像表示装置の他の放射透過性の構成要素に、デュフューザ粒子が付け加えられていることを特徴とする請求項１ないし２１の１つに記載の画像表示装置。
【請求項２３】
半導体発光ダイオードまたは半導体レーザーダイオードの電気的な駆動は金属帯を介して行なわれることを特徴とする請求項８記載の画像表示装置。
【手続補正２】
【補正対象書類名】明細書
【補正対象項目名】０００８
【補正方法】変更
【補正の内容】
【０００８】
この課題は、本発明によれば、保持体が設けられ、その保持体の上または中に多数のそれぞれ個々に電子的に駆動可能な半導体発光ダイオードまたは半導体レーザーダイオードが構成され、半導体発光ダイオードまたは半導体レーザーダイオードに相い異なる色の発光物質を有する複数個の光学的に互いに隔てられているルミネセンス変換要素が対応付けられ、これらのルミネセンス変換要素がそれぞれ半導体発光ダイオードまたは半導体レーザーダイオードから放射される光の少なくとも一部分を吸収し、他の波長の可視光に変換し、放射し、半導体発光ダイオードまたは半導体レーザーダイオードはそれぞれ１つのｐ伝導性の範囲および１つのｎ伝導性の範囲を有し、半導体発光ダイオードまたは半導体レーザーダイオードはｎ伝導性の範囲のためのｎ伝導性の材料からなりストリップ状に構造化された列を含むことにより解決される。
この課題は、本発明によれば、保持体が設けられ、その保持体の上または中に多数のそれぞれ個々に電子的に駆動可能な半導体発光ダイオードまたは半導体レーザーダイオードが構成され、半導体発光ダイオードまたは半導体レーザーダイオードに相い異なる色の発光物質を有する複数個の光学的に互いに隔てられているルミネセンス変換要素が対応付けられ、これらのルミネセンス変換要素がそれぞれ半導体発光ダイオードまたは半導体レーザーダイオードから放射される光の少なくとも一部分を吸収し、他の波長の可視的な光に変換し、放射し、保持体が透過性または少なくとも半透明性に構成され、ルミネセンス変換要素が半導体発光ダイオードまたは半導体レーザーダイオードと反対側の保持体の面の上に取付けられていることによっても解決される。